(57)【要約】    【構成】  散水装置ブロック１０はコンクリート中空ブロック１４を備え、その中に継手１６および樹脂管１８が埋設される。コンクリート中空ブロック１４の第１端面２２に継手１６の第１端開口２８は設けられ、第２端面２４から樹脂管１８の第１端部４２が突出する。そして、継手１６と樹脂管１８とは、コンクリート中空ブロック１４の中に設けられる継手１６の第２端開口３０に樹脂管１８の第２端部４４を挿入することにより、接続される。    【効果】  継手１６の第１端開口２８に隣接するコンクリート中空ブロック１４の第１端部４２を挿入することにより、散水装置ブロック１０が連結され、作業性に優れる。また、隣り合う散水装置ブロック１０の間は可撓性を有する樹脂管１８により連結されるため、地震による地盤変動の対策に有効である。【選択図】  図４
2007224588.tif 000002
【特許請求の範囲】
【請求項１】
ともに開口している第１端面およびそれに対向する第２端面、ならびに前記第１端面と前記第２端面との間の表面を含むコンクリート中空ブロック、
第１端開口が前記第１端面側に設けられ、かつ第２端開口が前記コンクリート中空ブロックの中に設けられる継手、および
第１端部が前記第２端面から突出し、かつ第２端部が前記第２端開口に挿入される樹脂管を備える、散水装置ブロック。
【請求項２】
前記樹脂管からその管軸と直交する方向に延びる分岐管、および
前記分岐管の先端に装着され、かつ前記表面に開口する散水ノズルをさらに備える、請求項１記載の散水装置ブロック。
【請求項３】
前記継手の前記第１端開口側の内周面と、前記第１端部の外周面とのいずれか一方に設けられるゴム輪溝、
前記継手の前記第２端開口側の内周面と、前記第２端部の外周面とのいずれか一方に設けられるゴム輪溝、および
前記ゴム輪溝に装着されるゴム輪をさらに備え、
前記第１端部が前記継手の前記第１端開口側に対しゴム輪接合され、
前記第２端部が前記継手の前記第２端開口側に対しゴム輪接合され、
前記樹脂管がポリエチレン樹脂で形成される、請求項１または２記載の散水装置ブロック。
【請求項４】
請求項１ないし３のいずれかの散水装置ブロックを複数個連結して形成される散水装置であって、
第１散水装置ブロックの前記継手の前記第１端開口に、隣接する第２散水装置ブロックの前記樹脂管の前記第１端部を挿入することによって、前記第１散水装置ブロックおよび前記第２散水装置ブロックの前記樹脂管どうしを接続し、さらに、
前記第１散水装置ブロックおよび前記第２散水装置ブロックの前記コンクリート中空ブロックの前記第１端面と前記第２端面との間に目地材を充填した、散水装置。
【請求項５】
コンクリートの中に樹脂管、継手、分岐管および散水ノズルが埋設される、散水装置であって、
ポリエチレン樹脂で形成され、直列に並べられる複数の樹脂管、
両端開口のそれぞれに前記樹脂管の端部が挿入される継手、
前記樹脂管からその管軸と直交する方向に延びる分岐管、および
前記分岐管の先端に装着され、かつ前記コンクリートの表面に開口する散水ノズルを備える、散水装置。
【発明の詳細な説明】
【技術分野】
【０００１】
この発明は、散水装置ブロックおよび散水装置に関し、特にたとえば、除雪、ヒートアイランド対策あるいは農園における散水などに用いられる、散水装置ブロックおよび散水装置に関する。
【背景技術】
【０００２】
従来の散水装置ブロックおよび散水装置の一例が、特許文献１に開示されている。この特許文献１の配管ブロックでは、コンクリート中空ブロックの内部に送水管が埋設され、送水管の両端部に拡径受口が形成される。そして、隣り合う配管ブロックの送水管の拡径受口にステンレス製の接続短管を挿入し、配管ブロックどうしを連結する。最後に、隣り合う配管ブロックの間に目地材を充填して、配管ブロックの連結構造を形成している。
【特許文献１】特開２０００−２７１３７号公報［Ｅ０１Ｈ  ３／０４］
【発明の開示】
【発明が解決しようとする課題】
【０００３】
特許文献１の従来技術では、隣り合う配管ブロックの間の目地部が配管ブロックの連結構造の中で最も剛性が低い。このため、地震などで送水管の管軸と直交する方向へ地盤変動が生じると、その曲げまたはせん断力が配管ブロックの目地部に集中的に働く。このとき、隣り合う配管ブロックの間はステンレス製の接続短管で連結され、その接続短管の強度がコンクリート中空ブロックや送水管の強度より大きいため、接続短管が送水管の受口やコンクリート中空ブロックの端面を破壊してしまう。
【０００４】
これに対して、送水管をポリエチレン樹脂などの可撓性のある材質の管で形成すれば、送水管が地盤変動に追随し、送水管の損傷が低減され、地盤変動の対策に効果がある。
【０００５】
しかしながら、一般的にポリエチレン樹脂で形成された樹脂管の接合は電気融着により行われるため、融着機の手配や電源の確保など作業手間を必要とし、作業性に劣る。
【０００６】
それゆえに、この発明の主たる目的は、地震による地盤変動に有効で、作業性に優れる、散水装置ブロックおよび散水装置を提供することである。
【課題を解決するための手段】
【０００７】
請求項１の発明は、ともに開口している第１端面およびそれに対向する第２端面、ならびに第１端面と第２端面との間の表面を含むコンクリート中空ブロック、第１端開口が第１端面側に設けられ、かつ第２端開口がコンクリート中空ブロックの中に設けられる継手、および第１端部が第２端面から突出し、かつ第２端部が第２端開口に挿入される樹脂管を備える、散水装置ブロックである。
【０００８】
請求項１の発明では、散水装置ブロックは、第１端面、第２端面および表面を含むコンクリート中空ブロックを備え、コンクリート中空ブロックの中に継手および樹脂管が埋設される。継手は第１端開口および第２端開口を含み、その第１端開口は第１端面側に設けられ、第２端開口はコンクリート中空ブロックの中に設けられる。樹脂管は第１端部および第２端部を含み、その第１端部はブロックの第２端面から突出し、第２端部は継手の第２端開口に挿入される。
【０００９】
この樹脂管の第１端部を隣接する散水装置ブロックの継手の第１端開口に挿入し、隣り合う樹脂管を接続して、散水装置ブロックどうしを連結する。このため、たとえば樹脂管をポリエチレン樹脂などの可撓性のある材質の管で形成すれば、地震などによる管軸と直交する方向への地盤変動により散水装置ブロックが動いても樹脂管が可撓的に追随することで、コンクリート中空ブロックや継手が破壊されない。よって、連結された散水装置ブロックは地盤変動の対策に有効である。
【００１０】
また、コンクリート中空ブロック内に継手を予め設けると、この継手に隣接する散水装置ブロックの樹脂管の端部を挿入するだけで、樹脂管どうしが接続される。これにより、散水装置ブロックは連結されるため、作業手間がなく、作業性に優れる。
【００１１】
請求項２の発明は、樹脂管からその管軸と直交する方向に延びる分岐管、および分岐管の先端に装着され、かつ表面に開口する散水ノズルをさらに備える、請求項１記載の散水装置ブロックである。
【００１２】
請求項２の発明では、複数の散水装置ブロックを連結し、コンクリート中空ブロックの表面が地表に現れるように、散水装置ブロックを地中に埋設すると、散水ノズルが分岐管を介して地表に開口する。そして、樹脂管に水を流すと、水は分岐管を通って、散水ノズルから地表にまかれる。これにより、除雪、ヒートアイランド対策あるいは農園における散水などが簡単に行われる。
【００１３】
請求項３の発明は、継手の第１端開口側の内周面と、第１端部の外周面とのいずれか一方に設けられるゴム輪溝、継手の第２端開口側の内周面と、第２端部の外周面とのいずれか一方に設けられるゴム輪溝、およびゴム輪溝に装着されるゴム輪をさらに備え、第１端部が継手の第１端開口側に対しゴム輪接合され、第２端部が継手の第２端開口側に対しゴム輪接合され、樹脂管がポリエチレン樹脂で形成される、請求項１または２記載の散水装置ブロックである。
【００１４】
請求項３の発明では、継手の第２端開口側の内周面、または第２端部の外周面に設けられたゴム輪溝にゴム輪を装着し、第２端開口に第２端部を挿入することにより、継手の第２端開口側が第２端部とゴム輪接合される。また、継手の第１端開口側の内周面、または第１端部の外周面に設けられたゴム輪溝にゴム輪を装着して、第１端開口に、たとえば隣接する散水装置ブロックの第１端部を挿入すると、継手の第１端開口側が隣接する散水装置ブロックの第１端部とゴム輪接合される。これにより、樹脂管が継手を介して隣接する散水装置ブロックの樹脂管と水密性を確保しながら接続される。
【００１５】
また、隣り合う散水装置ブロックの間は樹脂管により連結され、この樹脂管がポリエチレン樹脂などの可撓性のある材質の管で形成される。このため、管軸と直交する方向への地盤変動により散水装置ブロックが動いても樹脂管が可撓的に追随することで、コンクリート中空ブロックや継手の損傷が低減される。これにより、連結された散水装置ブロックの地盤変動の対策に効果がある。
【００１６】
請求項４の発明は、請求項１ないし３のいずれかの散水装置ブロックを複数個連結して形成される散水装置であって、第１散水装置ブロックの継手の第１端開口に、隣接する第２散水装置ブロックの樹脂管の第１端部を挿入することによって、第１散水装置ブロックおよび第２散水装置ブロックの樹脂管どうしを接続し、さらに、第１散水装置ブロックおよび第２散水装置ブロックのコンクリート中空ブロックの第１端面と第２端面との間に目地材を充填した、散水装置である。
【００１７】
請求項４の発明では、請求項１ないし３のいずれかの発明と同様の作用を示す。
【００１８】
請求項５の発明は、コンクリートの中に樹脂管、継手、分岐管および散水ノズルが埋設される、散水装置であって、ポリエチレン樹脂で形成され、直列に並べられる複数の樹脂管、両端開口のそれぞれに樹脂管の端部が挿入される継手、樹脂管からその管軸と直交する方向に延びる分岐管、および分岐管の先端に装着され、かつコンクリートの表面に開口する散水ノズルを備える、散水装置である。
【００１９】
請求項５の発明では、たとえば、地中に設けられた掘削溝の中に樹脂管を配置し、樹脂管の端部を継手の一方端開口に挿入する。また、他の樹脂管の端部を継手の他方端開口に挿入して、隣り合う樹脂管を継手を介して接続する。これをさらに別の樹脂管でも繰り返して、複数の樹脂管を継手で連結する。そして、掘削溝の中にコンクリートを流し込む。このとき、コンクリートの表面が散水ノズルの先端の位置になるようにし、散水ノズルを分岐管を介してコンクリートの表面に開口させる。
【００２０】
地震などによる管軸と直交する方向への地盤変動が生じても、ポリエチレン樹脂で形成される樹脂管は、その樹脂特性によって撓み、樹脂管が曲げまたはせん断力を吸収する。
【００２１】
また、樹脂管の強度がコンクリートや継手の強度より小さい。このため、樹脂管がコンクリートや継手を破壊することはなく、散水装置は地震による地盤変動の対策に有効である。
【００２２】
また、端部を継手に挿入するだけで樹脂管どうしは接続されるため、組み立てが簡単で、作業性に優れ、しかも材料の単価を抑えることに繋がり、コストダウン効果が見込める。
【発明の効果】
【００２３】
この発明によれば、コンクリート中空ブロックから突出する樹脂管の端部をコンクリート中空ブロックの中に予め設けられた継手に挿入し、散水装置ブロックを連結することにより、散水装置ブロックは作業性向上に優れ、かつ散水装置が地震による地盤変動を吸収しやすくなる。
【００２４】
この発明の上述の目的，その他の目的，特徴および利点は、図面を参照して行う以下の実施例の詳細な説明から一層明らかとなろう。
【発明を実施するための最良の形態】
【００２５】
図１に示すこの発明の一実施例である散水装置ブロック１０は、連結されることにより、図２に示す散水装置１２を形成する。また、散水装置ブロック１０は、図１に示すように、コンクリート中空ブロック（以下、中空ブロックと言う。）１４およびその中に埋設される継手１６、樹脂管１８、分岐管５０および散水ノズル２０を備える。
【００２６】
中空ブロック１４は、その断面が台形や矩形などの角柱で形成され、第１端面２２、第２端面２４、および表面２６を含む。第１端面２２および第２端面２４は、対向し、ともに開口２１、２３を有する。表面２６は、第１端面２２と第２端面２４との間に設けられ、これらに直交する。
【００２７】
中空ブロック１４は、長尺物であって、その長手方向の長さ、つまり第１端面２２と第２端面２４との間の長さＬ１は、たとえば５５００ｍｍに設定される。
【００２８】
継手１６は、円筒形状の短管が用いられ、塩化ビニル樹脂やポリオレフィン樹脂などの合成樹脂、またはＳＵＳや鋼鉄などの金属で形成される。継手１６の両端は開口し、両端にそれぞれ第１端開口２８および第２端開口３０が形成される。継手１６は、その管軸方向が、中空ブロック１４の長手方向になり、かつ第１端面２２に直交するように、中空ブロック１４の中に埋設される。そして、第１端開口２８は、第１端面２２側で、開口２１と面一に設けられる。継手１６は開口２１から中空ブロック１４の内側に延びて、第２端開口３０は中空ブロック１４の中に設けられる。
【００２９】
図３に示す継手１６の内周面で、第１端開口２８および第２端開口３０から奥側にゴム輪溝３２が形成され、ゴム輪溝３２にゴム輪３４が装着される。ゴム輪３４は円筒状に形成され、ゴム輪３４の軸方向の長さＬ３は、たとえば２９ｍｍに設定される。ゴム輪３４の外周面は、平坦であり、ゴム輪溝３２に接する。ゴム輪３４の内周面に複数、この実施例では４つの突起３６が形成され、突起３６は外周面に対して傾斜する。そして、突起３６の先端が継手１６の中心を向くように、ゴム輪３４はゴム輪溝３２に装着される。また、突起３６の間に凹部が設けられ、凹部の中は水膨張ゴム３８などで形成される。
【００３０】
また、図４に示すように、継手１６の内周面で、２つのゴム輪溝３２の間にストッパ４０が設けられる。ストッパ４０の位置は、第１端開口２８側に装着されたゴム輪３４の第２端開口３０側の端から間隔ｄ１とｄ２とを合計した長さを隔てて設けられる。この間隔ｄ１は、レベル２の地震に対応する抜け代に相当し、樹脂管１８の全長の１．５％に設定される。たとえば、樹脂管１８の全長Ｌ２が５５００ｍｍの場合、この間隔ｄ１は８２ｍｍに設定される。また、間隔ｄ２は、樹脂管１８の熱伸縮代に相当し、樹脂管１８の熱膨張率、樹脂管１８の全長および温度変化量の積により設定される。たとえば、樹脂管１８の熱膨張率が１３×１０−5で、樹脂管１８の全長Ｌ２が５５００ｍｍで、樹脂管１８の温度が２０℃から６０℃まで変化すると想定した場合、この間隔ｄ２は約２８ｍｍに設定される。
【００３１】
図１、図２および図４に示すように、樹脂管１８は、円筒形状の長尺管であって、ポリエチレン樹脂など可撓性を有する合成樹脂で形成される。その外径は継手１６の内径と同じまたはそれより小さく設定され、管軸方向の長さは、中空ブロック１４の長手方向の長さＬ２と同じまたはほぼ同じであって、たとえば５５００ｍｍに設定される。樹脂管１８は、その管軸方向が、中空ブロック１４の長手方向になり、かつ第１端面２２に直交するように、中空ブロック１４の中に埋設される。また、端面がストッパ４０に当接するように第２端部４４が継手１６の第２端開口３０に挿入されるため、第１端部４２は中空ブロック１４の第２端面２４の開口２３から突出する。そして、第２端部４４の外面に第２端開口３０側のゴム輪３４が密着して、第２端部４４と継手１６との間の水密性が保持されながら、第２端部４４は継手１６に接続される。
【００３２】
樹脂管１８の管壁に貫通孔４６が設けられ、貫通孔４６は樹脂管１８の管軸方向に間隔を隔てて複数設けられる。この貫通孔４６に継手４８を介して分岐管５０が接続され、分岐管５０は貫通孔４６から樹脂管１８の管軸と直交する方向に延びる。分岐管５０の先端に散水ノズル２０が装着され、散水ノズル２０は表面２６に開口する。
【００３３】
この散水装置ブロック１０を形成する場合、まずゴム輪溝３２にゴム輪３４を装着し、継手１６を中空ブロック１４の型枠（図示せず）の中に配置する。次に、樹脂管１８を用意し、先端に散水ノズル２０を装着した分岐管５０を貫通孔４６に接続してから、端がストッパ４０に接するまで第２端部４４を継手１６の第２端開口３０に挿入する。このとき、樹脂管１８の第１端部４２は型枠の外側に突出する。そして、散水ノズル２０の位置まで型枠の中にコンクリートを流し入れて、中空ブロック１４を形成する。この中空ブロック１４の型枠を解体すれば、散水装置ブロック１０は完成する。
【００３４】
形成された散水装置ブロック１０を用いて散水装置１２を敷設する場合、図２および図４に示すように、まず地中に掘削溝５２を形成し、中空ブロック１４の表面２６を上側にして、第１散水装置ブロック１０ａを掘削溝５２の中に配置する。第２散水装置ブロック１０ｂの第２端面２４が第１散水装置ブロック１０ａの第１端面２２に向き合うように、第１散水装置ブロック１０ａの第１端面２２側に第２散水装置ブロック１０ｂを配置する。
【００３５】
次に、第１散水装置ブロック１０ａの継手１６の第１端開口２８に第２散水装置ブロック１０ｂの樹脂管１８の第１端部４２を挿入すると、第２散水装置ブロック１０ｂの第１端部４２は、第１散水装置ブロック１０ａの第１端開口２８側のゴム輪３４に密着し、継手１６の第１端開口２８側にゴム輪接合される。第１散水装置ブロック１０ａおよび第２散水装置ブロック１０ｂの樹脂管１８どうしは、直列に並んで、第１散水装置ブロック１０ａの継手１６を介して接続される。
【００３６】
このとき、ストッパ４０から間隔ｄ２を隔てた位置に第１端部４２の端がくるまで第１端部４２を継手１６に挿入すると、樹脂管１８が中空ブロック１４と同じまたはほぼ同じ長さに設定されるため、第１散水装置ブロック１０ａの第１端面２２と第２散水装置ブロック１０ｂの第２端面２４との間に間隔ｄ３の目地部用空間が設けられる。この目地部用空間の間隔ｄ３は間隔ｄ２とストッパ４０の幅とを合計した長さに相当する。
【００３７】
そして、これを繰り返して、複数個の散水装置ブロック１０を連結してから、隣接する第１端面２２と第２端面２４との間の目地部用空間にブチル系ゴムなど目地材５４を充填する。これにより、散水装置１２が形成されるため、最後に、中空ブロック１４の表面２６が地表に現れるように、掘削溝５２の中に土などを戻す。
【００３８】
ここで、散水装置ブロック１０の位置関係を明らかにするため、第１散水装置ブロック１０ａおよび第２散水装置ブロック１０ｂと記載したが、これらは散水装置ブロック１０を表す。
【００３９】
このように敷設された散水装置１２において、揚水ポンプ（図示せず）を接続した樹脂管１８に水を流すと、中空ブロック１４の表面２６に開口した散水ノズル２０から水が撒かれる。このため、散水装置１２を道路や駐車場などの下に埋設すると、散水された水が、冬季には道路の表面２６上に積もった雪の除去に用いられ、夏季にはヒートアイランド対策に用いられ得る。また、散水装置１２を農園に設置すると、植物などへの散水に用いられる。
【００４０】
この樹脂管１８を流れる水が、樹脂管１８の端部４２、４４の端から端部４２、４４の外周面と継手１６の内周面との間の隙間を通って外へ出ようとした場合、ゴム輪３４の突起３６が、端部４２、４４の端の方向へ傾斜することで、水の流れにより端部４２、４４の外周面に密着し、水の流出は防がれる。仮に、突起３６と端部４２、４４の外周面との間に隙間ができて、水が突起３６を乗り越えても、水膨張ゴム３８が、その水を吸収して、膨張する。これにより、水膨張ゴム３８が端部４２、４４の外周面に密着するため、水膨張ゴム３８が端部４２、４４の外周面との間の隙間を埋める。よって、水の流出はさらに防止され、止水性が向上する。
【００４１】
また、散水装置１２の敷設後、地震などにより地盤の変動が生じた場合、管軸と直交する方向への地盤変動により散水装置ブロック１０が動いても散水装置１２が地盤変動に追随する。また、樹脂管１８の強度が、中空ブロック１４や継手１６の強度より小さい。よって、樹脂管１８が中空ブロック１４や継手１６を破壊しない。また、仮にこれらが破壊しても、補修継手などを用いることで、容易に対応することができる。
【００４２】
そして、管軸方向への地盤変動に対しては、第１端部４２がストッパ４０の位置まで継手１６に挿入され、第１端部４２の端とゴム輪３４の第２端開口３０側の端との間の長さはレベル２の地震に対応する抜け代に相当する。よって、レベル２の地震により第１端部４２が第１端開口２８から抜け出そうとしても、第１端部４２はゴム輪３へんか４が設置された範囲に位置する。このため、ゴム輪３４により第１端部４２と継手１６との間は水密性が保持されながら、第１端部４２と継手１６との接続は維持される。
【００４３】
このように、地震などによる地盤変動に対しても、隣り合う散水装置ブロック１０の間を可撓性を有する樹脂管１８で連結し、かつ、地震に対応する抜け代に相当する長さの第１端部４２を継手１６に挿入することにより、散水装置１２が地震による地盤変動の対策に有効である。
【００４４】
また、中空ブロック１４の中に予め設けられた継手１６に隣接する樹脂管１８の端部を挿入するだけで、散水装置ブロック１０は連結されるため、組み立てが簡単で、作業性に優れる。
【００４５】
さらに、散水装置１２の敷設後、表面２６が地表に現れた中空ブロック１４が太陽熱を受け、その熱が樹脂管１８に伝わり、樹脂管１８の長さが延びても、第１端部４２の端とストッパ４０との間に熱伸縮代に相当する間隔ｄ２を開けているため、樹脂管１８が継手１６を破壊することが防止される。
【００４６】
なお、図１では第１端開口２８を開口２１と面一に設けたが、第１端面２２側であれば、第１端開口２８を開口２１より外側に設けても、内側に設けてもよい。
【００４７】
図５に示すこの発明の他の実施例である散水装置５５は、図２に示す散水装置１２とほぼ同じである。ただし、図２では複数の散水装置ブロック１０を連結することにより散水装置１２を形成したが、図５では散水装置ブロック１０を用いずに、地面の掘削溝５２に樹脂管１８を予め設置し、現場にてコンクリートを打設して、散水装置５５を形成する。なお、散水装置５５において散水装置１２に共通する部分については同じ番号を付して、その番号の説明は省略する。
【００４８】
図５および図６に示すように、散水装置５５は、コンクリートの中に埋設される継手１６、樹脂管１８、分岐管５０および散水ノズル２０を備える。
【００４９】
継手１６の第１端開口２８に樹脂管１８の第１端部４２が挿入され、同じ継手１６の第２端開口３０に別の樹脂管１８の第２端部４４が挿入され、樹脂管１８は継手１６を介して連結される。
【００５０】
散水装置５５を形成するには、まず先端に散水ノズル２０が装着された分岐管５０を樹脂管１８に接続し、その樹脂管１８を地中に設けられた掘削溝５２の中に配置する。それから、第２端部４４の端がストッパ４０に接するまで、樹脂管１８の第２端部４４を継手１６の第２端開口３０に挿入する。
【００５１】
次に、型枠（図示せず）を用意する。型枠には挿通孔が設けられ、挿通孔の内径が樹脂管１８の外径と同じまたはそれより少し大きく設定される。また、型枠は、その幅が掘削溝５２の幅とほぼ同じに設定され、その高さが掘削溝５２の底と散水ノズル２０の先端との間の高さより大きく設定される。このため、型枠を掘削溝５２の中に配置すると、型枠により掘削溝５２の中が長手方向に仕切られる。この型枠を継手１６の第１端開口２８の位置に配置し、この型枠から間隔ｄ３を隔てて別の型枠を配置して、隣接する型枠の間に目地部用空間を形成する。
【００５２】
そして、別の樹脂管１８を型枠の挿通孔に通してから、第１端部４２の端がストッパ４０の位置から熱伸縮代に相当する間隔ｄ２を隔てた位置になるまで、継手１６の第１端開口２８に樹脂管１８の第１端部４２を挿入する。これを繰り返し、継手１６を介して複数の樹脂管１８を直列に接続する。
【００５３】
次に、目地部用空間を除いた掘削溝５２の中にコンクリート５６を流し込む。コンクリート５６の表面５６ａが散水ノズル２０の先端の位置になるようにすると、散水ノズル２０はコンクリート５６の表面５６ａに開口する。また、コンクリート５６が硬化する際に発生した硬化熱により樹脂管１８が軸方向に伸びるが、第１端部４２の端と第２端部４４の端との間に設けられた熱伸縮代に相当する間隔ｄ２により、第１端部４２の端と第２端部４４の端とは衝突しないため、樹脂管１８が破壊されない。最後に、コンクリート５６が硬化し終わると、掘削溝５２の中から型枠を取り除いて、目地部用空間に目地材５４を充填して、散水装置５５は完成する。
【００５４】
このように形成された散水装置５５によれば、地震などによる地盤変動が生じても、樹脂管１８はその可撓性によりコンクリート５６の動きに追随するため、樹脂管１８がコンクリート５６を破壊せずに、樹脂管１８が継手１６から外れることなく、散水装置５５が地震による地盤変動に追随する。
【００５５】
また、端部を継手１６に挿入するだけで樹脂管１８どうしは簡単に接続されるため、作業が容易になる。
【００５６】
なお、上記全ての実施例では、ゴム輪３４に突起３６および水膨張ゴム３８などを設けたものを用いたが、ゴム輪にＯリングなどを用いることもできる。
【００５７】
そして、このゴム輪３４を継手１６の第１端開口２８側および第２端開口３０側に設けたゴム輪溝３２に装着したが、ゴム輪溝３２を第１端部４２および第２端部４４に設けて、このゴム輪溝３２にゴム輪３４を装着することもできる。この場合、第１端部４２に装着したゴム輪３４により第１端部４２と継手１６の第１端開口２８側とがゴム輪接合され、第２端部４４に装着したゴム輪３４により第２端部４４と継手１６の第２端開口３０側とがゴム輪接合される。
【００５８】
また、上記全ての実施例では、継手１６に円筒形状の継手を用いたが、これに代えて異径継手を用いることもできる。この異径継手は、一体的に形成されたものであってもよいし、小径の円筒部材と大径の円筒部材とを組み合わせたものであってもよい。異径継手を用い、下流側に径の小さな樹脂管１８を接続して、上流側から下流側に向けて樹脂管１８の内径を小さくする。これにより、樹脂管１８を流れる水の量を変化させて、散水ノズル２０から散水する水圧を調整することができる。
【００５９】
さらに、上記全ての実施例では、樹脂管１８の径を軸方向に一定にしたが、樹脂管の径を軸方向に変化させることもできる。たとえば、径の大きさの異なる複数の樹脂管を異径継手で接続する。そして、上流側から下流側に向けて樹脂管の内径を小さくすると、散水ノズル２０から散水する水圧を調整することができる。
【００６０】
また、ストッパ４０と別のストッパを継手１６に設けることもできる。図７（Ａ）に示すように、ストッパ４０と間隔ｄ２を隔てた位置にストッパ５８を設ける。これにより、第１端部４２の端がストッパ５８に当接するまで、第１端部４２を継手１６に挿入すればよいため、作業しやすくなる。
【００６１】
そして、このストッパ５８の形状は限定されないが、図７（Ｂ）に示すように、複数、この実施例では４つの略直方体状のストッパ５８を径方向に間隔を隔てて配置すると、樹脂管１８の温度が上昇した際に、樹脂管１８がストッパ５８を破壊して、樹脂管１８が軸方向に伸びることができる。
【００６２】
なお、上で挙げた角度や寸法の具体的数値はいずれも単なる一例であり、必要に応じて適宜変更可能である。
【図面の簡単な説明】
【００６３】
【図１】この発明の一実施例の散水装置ブロックを示す断面図である。
【図２】図１の散水装置ブロックを連結して形成された散水装置を示す断面図である。
【図３】図１の散水装置ブロックに用いられる継手を示す部分断面図である。
【図４】図１の散水装置ブロックの連結部分を示す断面図である。
【図５】この発明の別の実施例の散水装置を示す断面図である。
【図６】図５の散水装置の一部を示す部分断面図である。
【図７】（Ａ）はこの発明の別の実施例の散水装置ブロックおよび散水装置に用いられる継手の一部を示す管軸に平行の断面図であり、（Ｂ）は（Ａ）の継手を示す管軸に垂直の断面図である。
【符号の説明】
【００６４】
１０…散水装置ブロック
１２、５５…散水装置
１４…コンクリート中空ブロック
１６…継手
１８…樹脂管
２０…散水ノズル
２２…第１端面
２４…第２端面
２６、５６ａ…表面
２８…第１端開口
３０…第２端開口
４２…第１端部
４４…第２端部
５６…コンクリート
【図１】
2007224588.tif 000003
【図２】
2007224588.tif 000004
【図３】
2007224588.tif 000005
【図４】
2007224588.tif 000006
【図５】
2007224588.tif 000007
【図６】
2007224588.tif 000008
【図７】
2007224588.tif 000009